(57)【特許請求の範囲】
【請求項１】
複数の床パネルを並列に載置して全体床を構成する建築物の床において、一の床パネルと隣接する他の床パネルとの床面間に形成される開口部と、
この開口部の下方に配置され、前記開口部から滴下する液体を受ける樋部と、を備え、
前記樋部は、前記一の床パネルに一体に形成されるとともに、樋部内の液体を外部に排出する排出管側に連通し、各床パネルは、一側部に前記樋部を備えるとともに、他側部に他の床パネルの樋部を接続する連接部を備え、同一形状の各床パネルを、一の床パネルの樋部に他の床パネルの連接部を接続して配置することにより、複数の床パネルが横方向に並列して全体床を構成し、前記各床パネルは平面矩形状に形成され、全体床の下方には、上部に開口した流路を有するとともに各床パネルを支承する複数の大引き材が設けられ、前記各大引き材は、前記樋部の下方高さ位置において樋部に略直交し、前記樋部と大引き材の流路とが連通して、樋部内の液体が前記流路に流下し、縦方向に隣接する床パネル同士の床面間に、第２の開口部を設け、この第２の開口部の下方に、前記大引き材を配置し、第２の開口部から滴下する液体を前記大引き材の流路が直接受けるとともに、床パネルと前記大引き材とには、両者をボルトにより固定するための傾斜部が同一方向に傾斜して設けられていることを特徴とする建築物の床。
【請求項２】
前記各床パネル間に、床パネルの表面と同一平面となる目皿部を設けたことを特徴とする請求項１に記載の建築物の床。
【発明の詳細な説明】
【０００１】
【発明の属する技術分野】
本発明は建築物の床に関し、更に詳細には建築物内において水洗浄が可能な床に関する。
【０００２】
【従来の技術】
水洗浄を必要とする建築物の床は、多くの場合、コンクリート床スラブ上へのならしモルタルの塗布、アスファルト塗布、押さえモルタル層の形成、シンダーコンクリート層の形成、タイル下地モルタルの塗布、タイル仕上という一連の工程を経て形成される。このような工程を経て形成される床は良好な防水性を有する。しかし、施工に必要とする時間が極めて長く、それが工期遅れの大きな原因となっている。また、床の一部分に破損を生じた場合は、その修復に多大な費用が必要となる。
【０００３】
そこで、本出願人は先に、このような問題を解消した床を提案した。
これは、特許第２５３９７０９号公報に記載されているように、床スラブ面から浮かせた位置に床パネルを配置し、床パネル上に散水した水を効率的に排水させるようにしたものである。
【０００４】
すなわち、平面上に設置される複数の床パネルの間に目地材を挟置し、この床パネルの両縁を支持する根太材を配置する。さらに、これら根太材に直交して根太材を支承する大引き材を配置し、前記根太材内部と大引き材とを連通させる通水孔を設ける。
【０００５】
この通水孔は、根太材と大引き材とに夫々設けた通水孔を一致させることで形成されている。なお、根太材にはフランジが設けられており、排水が外部に漏れることを防止するようにしてある。
【０００６】
そして、前記大引き材の端部に、床パネルと目地材との間から流入した水を外部に排出する排水管を設けてある。
さらに、前記大引き材の両端部下面にこれを支承する束材を配置し、この束材を建築物の床スラブ面に接地させることで全体を保持するような構成になっている。
【０００７】
なお、前記大引き材には換気用筒状体が接続されており、内部を乾燥させるとともに、床上空間に臭気が滞留しないようにしてある。
このような構成により、床洗浄水は根太材から大引き材を通って排水管より外部に排出され、床上の洗浄水を効率良く排出できる床を、簡易な施工にて組み立てられるようになっている。
【０００８】
【発明が解決しようとする課題】
本発明者は、鋭意研究の結果、前述した床について、さらなる改善すべき点を見い出した。すなわち、床全体の厚さをさらに薄くする点と、施工性をさらに向上する点である。
【０００９】
本発明は前記事項に鑑みなされたものであり、簡易な作業にて容易に施工できる洗浄可能な建築物の床を提供することを技術的課題とする。
また、床全体の厚さを薄くできる洗浄可能な建築物の床を提供することを技術的課題とする。
【００１０】
さらに、排水効率のよい洗浄可能な建築物の床を提供することを技術的課題とする。
また、構成部材の成形が容易な洗浄可能な建築物の床を提供することを技術的課題とする。
【００１１】
【課題を解決するための手段】
第１の発明は、複数の床パネルを並列に載置して全体床を構成する建築物の床において、一の床パネルと隣接する他の床パネルとの床面間に形成される開口部と、この開口部の下方に配置され、前記開口部から滴下する液体を受ける樋部と、を備え、前記樋部は、前記一の床パネルに一体に形成されるとともに、樋部内の液体を外部に排出する排出管側に連通し、各床パネルは、一側部に前記樋部を備えるとともに、他側部に他の床パネルの樋部を接続する連接部を備え、同一形状の各床パネルを、一の床パネルの樋部に他の床パネルの連接部を接続して配置することにより、複数の床パネルが横方向に並列して全体床を構成し、前記各床パネルは平面矩形状に形成され、全体床の下方には、上部に開口した流路を有するとともに各床パネルを支承する複数の大引き材が設けられ、前記各大引き材は、前記樋部の下方高さ位置において樋部に略直交し、前記樋部と大引き材の流路とが連通して、樋部内の液体が前記流路に流下し、縦方向に隣接する床パネル同士の床面間に、第２の開口部を設け、この第２の開口部の下方に、前記大引き材を配置し、第２の開口部から滴下する液体を前記大引き材の流路が直接受けるとともに、床パネルと前記大引き材とには、両者をボルトにより固定するための傾斜部が同一方向に傾斜して設けられていることを特徴とする。
【００１５】
第２の発明は、第１の発明において、前記各床パネル間に、床パネルの表面と同一平面となる目皿部を設けたことを特徴とする。目皿部は、通行者の体重を支えられるとともに、洗浄水等の液体を表面側から下方側に通過可能な構造であればどのようなものでもよく、上下に貫通する多数のスリットを有する目皿部や、網状の目皿部を例示できる。また、通水透過性の材質により目皿部を形成してもよい。
【００１６】
【発明の実施の形態】
以下、本発明の建築物の床を図１〜図８に基いてさらに詳細に説明する。
本実施形態の建築物の床は、複数の床パネル２が並列して載置されることにより、全体床が構成される。
【００１７】
床パネル２は、図１〜図４に示すように、平面矩形状のパネル本体の長辺側の一側部に、凹状の樋部３０（第１側部）が形成されるとともに、長辺側の他側部に、前記樋部３０の外端部の形状に対応する連接部４０（第２側部）が形成されている。そして、これら樋部３０及び連接部４０は、図５に示すように、床パネル２の芯材である本体部２０と一体に形成されている。
【００１８】
樋部３０は、本体部２０の長辺側の一側端部から下方に延出された第１段部３１と、この第１段部３１から垂下した内側部３２と、内側部３２に連なる底部３３と、底部３３から立ち上がる外側部３４とから構成されている。
【００１９】
また、連接部４０は、本体部２０の長辺側の他側端部から下方に延出された第２段部４１と、この第２段部４１から垂下した連接側部４２から構成されている。
一方、床パネル２の短辺側の両側部（第３側部、第４側部）は同一形状を呈しており、本体部２０の短辺側端部から下方に延出された第３段部２１と、この第３段部２１から斜め外側下方に傾斜する第１傾斜部２３と、この第１傾斜部２３から垂下した側部２２と、側部２２の下部から床パネル２の内方に向けて斜め上方に傾斜する第２傾斜部２４と、第２傾斜部２４の端部から垂下する鉤部２５とからそれぞれ構成されている。
【００２０】
なお、前記第１段部３１と、第２段部４１と、第３段部２１、２１は、いずれも同じ高さ位置にて形成されている。
また、図５及び図６は、複数の床パネル２を接続し、複数の大引き材６０に載置するとともに、各床パネル２間に目皿部８０、９０を設置した状態において、図１に示すＡ−Ａ’線、Ｂ−Ｂ’線にて断面とした図である。すなわち、図１は床パネル２の単体の図面であるが、図５及び図６は、複数の床パネル２を複数の大引き材６０にて支承した状態の図である。
【００２１】
床パネル２の本体部２０の上には、シリコンゴム等により成形された弾性材７５を介して、床面となる矩形状の蓋体７０が設けられている。この蓋体７０の四辺は、床面から垂下する側部７１として形成してあり、前記弾性材７５を覆っている。
【００２２】
また、本体部２０の中央部は、側部２２と平行に断面三角形状の補強部２７が設けられている。この補強部２７は、本体部２０の中央部を下方に突出するよう折り曲げて形成してある。
【００２３】
このような形状の床パネル２は、蓋体７０を除いた本体部２０に連接する部材が、本体部２０と一体に形成されているが、その成形にあたっては、一枚の金属板（ステンレススチール等）を折り曲げて形成してもよいし、適宜溶接して形成してもよい。あるいは、金型内に樹脂等を充填して成形するようにしてもよい。
【００２４】
そして、図５に示すように、床パネル２を敷設するには、一の床パネル２の樋部３０内に、隣接する他の床パネル２の連接部４０をはめ込む。すなわち、樋部３０の外側部３４の高さと、連接部４０の連接側部４２の高さは略同一に形成されており、連接部４０の第２段部４１の裏面に、外側部３４の頂部が当接する。なお、連接側部４２の高さは、外側部３４より短く形成してもよい。こうして、各床パネル２の横方向の接続が順次なされる。
【００２５】
また、各床パネル２の縦方向の敷設にあたっては、床パネル２の縦方向の幅に合わせて予め所定間隔毎に設置された複数の大引き材６０上に、各床パネル２を載置することによってなされる。すなわち、図６に示すように、１本の大引き材６０上に、２つの床パネル２の端部が対向してそれぞれ固定される。
【００２６】
大引き材６０は、頂部中央に開口を有する中空鋼材となっており、底部６１と、この底部６１から垂設される側部６２，６２と、側部６２，６２の上部から斜め下方に延出する傾斜頂部６３，６３とから構成されている。そして、前記床パネル２の第２傾斜部２４と、前記傾斜頂部６３とは同一の傾斜角度をなしており、また、第２傾斜部２４の裏面側の幅と傾斜頂部６３の上面側の幅とは略同一になっている。したがって、床パネル２の短辺側の両側部は、図６中、それぞれ大引き材６０の上部の左側と右側に位置決め固定される。
【００２７】
そして、床パネル２の第１傾斜部２３から第２傾斜部２４及び大引き材６０の傾斜頂部６３に亘ってボルト１２が貫通され、床パネル２と大引き材６０が強固に固定されている。なお、１本のボルト１２により固定される第１傾斜部２３、第２傾斜部２４、傾斜頂部６３は、同一方向に傾斜しているので、ボルト１２の取付け及び取り外しを容易に行うことができる。
【００２８】
ここで、床パネル２を４個組み合わせた状態を図７に示す。各床パネル２間には、目皿部が設置されている。すなわち、樋部３０の上方である第１開口部（開口部）１６には目皿部８０が設置され、樋部３０の直角方向上方である第２開口部（第２の開口部）１４には目皿部９０が設置される。
【００２９】
前記目皿部８０，９０は、図５及び図６に示すように、頂板部８１と、頂板部８１の幅方向両端部に設けられた脚部８２，８２を備えている。そして、頂板部８１の中央部裏側には、内部に導水路８５を有する導水管８４が設けられている。前記導水路８５は、導水管８４の上部から頂板部８１の表面まで直線状に形成された散水孔８６，８６に連通しており、この散水孔８６，８６は、目皿部８０，９０の軸線方向にて多数設けられている。なお、各組の散水孔８６，８６は、水平方向に対して略４５度の角度で外方向（床パネル２側）に向けて形成されている。また、目皿部８０，９０の表面側と、目皿部８０，９０下方の第１開口部１６及び第２開口部１４とは、図示しない多数の連通孔によって連通されている。
【００３０】
本実施形態の建築物の床の施工にあたっては、図８に示すように床パネル２の幅に合わせて複数の大引き材６０を平行に配置する。なお、各大引き材６０は、束材６によって床スラブ３上に支持させる。束材６の下部にはアジャスタ７が設けられており、高さ調整ができるようになっている。図８では、大引き材６０Ａ，６０Ｂが完全な大引き材を表し、床パネル２ｂが完全な床パネルを表しているが、床の構造を理解し易くするために、本図では幾つかの大引き材や床パネルの一部を切り欠いて表している。
【００３１】
そして、これらの隣り合う大引き材６０，６０に跨るように、壁５の端部に合わせて縦方向一列に各床パネル２を載置し、ボルト１２によって床パネル２と大引き材６０とを固定する。また、床パネル２の横方向（大引き材６０の軸方向）への連続した敷設は、床パネル２の樋部３０と、横方向に隣接させる床パネル２の連接部４０とを接続させて（床パネル２ｂと床パネル２ａの関係）、順次各床パネル２をボルト１２によって固定する。また、床パネル２の位置決めは、設置した床パネル２の樋部３０に、次に敷設する床パネル２の連接部４０を重ね合わせるだけの単純な作業により正確になされる。
【００３２】
なお、組み立てられた各大引き材６０の端部付近には、各大引き材６０と直交するように排水横引き管８が設けられており、この排水横引き管８と大引き材６０の内部（流路）６４とは、それぞれ排水縦管９によって連通される。また、全体床の端部に位置する樋部３０には、密閉部８８が取り付けられる。さらに、床と壁５との境界付近には、シールド１５が施され、壁５に洗浄水がかからないようにしてある。
【００３３】
次に、床を洗浄する際の動作を説明する。
管理者が図示しない制御盤を操作することにより、導水管８４の端部側に接続された給水バルブが開放され、導水路８５内に洗浄水が供給される。導水路８５内の洗浄水は、散水孔８６から床パネル２上（蓋体７０表面）に向けて散水される。
【００３４】
そして、床パネル２上を洗浄した洗浄水は、目皿部８０，９０に形成された連通孔、あるいは目皿部８０，９０と床パネル２との間隙から下方に滴下する。目皿部８０から滴下した洗浄水は、樋部３０にて受けられ、樋部３０内を流れて大引き材６０内に流下する。また、目皿部９０から滴下した洗浄水は、直接大引き材６０内に受けられる。そして、各大引き材６０内の洗浄水は、排水縦管９を経て排水横引き管８に流れ込み、排水本管側に排水される。
【００３５】
次に、床が損傷した場合等の修復工程について説明する。
施工後の床パネル２に損傷等が生じるのは、ほとんどの場合、床面上の損傷であるので、蓋体７０を取り替えるだけで、修復は完了する。また、仮に床パネル全体を取り替えるにしても、床パネル２は簡単に取り外しができるので、樋部３０方向にて最端部の床パネル２から順次取り外し、修復が必要な床パネル２を新たな床パネル２に取り替えた後、取り外した床パネル２を順次取り付けて修復を行う。
【００３６】
以上のように本実施形態の建築物の床によれば、従来の根太部材が不要となり、その分の床全体の厚みを薄くすることができる。
そして、床パネル２を、樋部３０及び連接部４０と一体に形成したので、部品点数を少なくできるとともに、床パネル同士の接続を簡易に行うことができる。また、床パネル２の樋部３０は、大引き材６０上に単に懸架された状態で、樋部３０の端部と大引き材６０の開口部との連通がなされるので、容易に施工を行うことができる。
【００３７】
【発明の効果】
本発明によれば、簡易な作業にて容易に施工できる洗浄可能な建築物の床を提供することができる。
【００３８】
また、床全体の厚さを薄くできる洗浄可能な建築物の床を提供することができる。
さらに、排水効率のよい洗浄可能な建築物の床を提供することができる。
【００３９】
また、構成部材の成形が容易な洗浄可能な建築物の床を提供することができる。
【図面の簡単な説明】
【図１】本発明の一実施形態である建築物の床の単体の床パネルを示す斜視図。
【００４０】
【図２】実施形態における単体の床パネルを示す平面図。
【００４１】
【図３】実施形態における単体の床パネルを示す正面図。
【００４２】
【図４】実施形態における単体の床パネルを示す側面図。
【００４３】
【図５】図１のＡ−Ａ’線にて断面した床パネルが、隣接する床パネルと接続された状態を示す断面図。
【００４４】
【図６】図１のＢ−Ｂ’線にて断面した床パネルが、大引き材に載置された状態を示す断面図。
【００４５】
【図７】実施形態における床パネルを４体組み合わせた状態を示す斜視図。
【００４６】
【図８】実施形態の建築物の床の施工状態を示す斜視図。
【００４７】
【符号の説明】
２  床パネル
５  壁
６  束材
８  排水横引き管
９  排水縦管
１２  ボルト
１４  第２開口部（第２の開口部）
１６  第１開口部（開口部）
２０  本体部
３０  樋部
４０  連接部
６０  大引き材
７０  蓋体
７５  弾性材
８５  導水路
８６  散水孔
８０  目皿部
９０  目皿部
【図１】
0004484287.tif 000002
【図２】
0004484287.tif 000003
【図３】
0004484287.tif 000004
【図４】
0004484287.tif 000005
【図５】
0004484287.tif 000006
【図６】
0004484287.tif 000007
【図７】
0004484287.tif 000008
【図８】
0004484287.tif 000009